(57)【要約】【課題】光学アナライザーが、光線から各種物理属性パラメータを精確に測定できる光遮蔽フードを提供する。【解決手段】光遮蔽フードは中空状の本体７を備える。本体７は、一端が光学アナライザーのレセプターの外側表面に連接可能であり、他端が逐次外へ拡張及び延伸し、他端の外側表面と内側表面との間には垂直方向に高度差が形成され、他端の外側表面と内側表面との間には水平方向に間隔が形成されている。本体７がフェースプレート６０上に当て付けられた場合、第一変色エリア６２はレセプターのフェースプレート６０に面するレシーブエリア６４外にあり、第一変色エリア６２とレシーブエリア６４は重ね合わないため、レセプターはフェースプレート６０の変化が発生していない光線を受けることができる。これにより、光学アナライザーは光線から各種物理属性パラメータを精確に測定することができる。【選択図】図６
0003137477.tif 000002
【実用新案登録請求の範囲】
【請求項１】
中空状の本体を備え、
前記本体の一端は光学アナライザーのレセプターの外側表面に連接可能であり、
前記本体の他端は逐次外へ拡張及び延伸して形成され、
前記本体の他端の外側表面と内側表面との間は垂直方向に高度差を有し、
前記本体の他端の前記外側表面と前記内側表面との間は水平方向に間隔を有することを特徴とする光遮蔽フード。
【請求項２】
少なくとも一つの中間フードを備え、
前記中間フードの一端は、前記本体の他端の前記外側表面と前記内側表面との間に連接し、
前記中間フードの他端は外へ延伸して形成され、
前記中間フードの他端が外へ延伸する長さは、前記本体の他端の前記外側表面と前記本体の他端の前記内側表面との間に介在することの可能な長さに形成されることを特徴とする請求項１記載の光遮蔽フード。
【考案の詳細な説明】
【技術分野】
【０００１】
本考案は、光遮蔽フードに関し、特に、光学アナライザーのレセプター周囲に取り付けられる光遮蔽フードに関する。
【背景技術】
【０００２】
光遮蔽フードは平面ディスプレー（display）のフェースプレート（face plate）に当て付けられ、外界の光線が前記光遮蔽フード内に進入することの遮蔽に用いられ、並びに、フェースプレートが前記光遮蔽フードに当て付けられて発生する変色エリア（area）をレセプターのフェースプレートに面するレシーブ（receive）エリア外にあるようにし、それによって、前記レセプターは精確に前記フェースプレートが発する光線の各種物理属性パラメータ（parameter）を測定することができる。
一般のカラー（color）平面ディスプレーがビデオ（video）信号を現すとき、予期した色合いが現れるようにするため、一般的方法としては、前記カラー平面ディスプレーに対して一系列の知られた制御信号値（Ｒ、Ｇ、Ｂ）を選択し、並びに、それら制御信号値を前記カラー平面ディスプレーに入力し、前記カラー平面ディスプレーに表示される対応の顔色信号値（例えば、国際照明委員会（Commission Inter nationale de l’Eclairage、略してＣＩＥと称す）のＸ、Ｙ、Ｚ値）を逐一測定し、並びに、それら制御信号値（Ｒ、Ｇ、Ｂ）によって修正を行い、前記カラー平面ディスプレーに理想の顔色信号値が現れるようにする。前記カラー平面ディスプレーに理想の顔色信号値が現れるようにするため、まず前記カラー平面ディスプレーに現れる顔色信号値を測定しなければならない。現在、カラー平面ディスプレーのフェースプレートに現れる顔色信号値（Ｘ、Ｙ、Ｚ）を測定する方式には次の二つがある。
【０００３】
１．非接触式測定方式
非接触式測定方式は、図１に示すように、固定架台（例えば、三脚）を採用して、光学アナライザー１を取り付け、並びに、光学アナライザー１を測定条件に符合する場所に設置し、各種光学物理属性パラメータ（顔色信号値を含む）の測定と記録を行う。非接触式測定方式の測定条件は極めて厳格であり、例えば、光学アナライザー１のレセプター１０とフェースプレート２０間の角度は垂直であり、測定環境は暗室でなければならない等である。ところが、このような方式を採用すると、光を制御した環境で行わなければならず、制限が多いので、作業上、多くの不便と困難が生じる。
【０００４】
２．接触式測定方式
接触式測定方式は、図２に示すように、光学アナライザー１をフェースプレート２０に接触させ、フェースプレート２０が発する光線を受け、並びに、前記光線から各種光学物理属性パラメータ（顔色信号値を含む）を測定する。また、光学アナライザー１が一般環境（すなわち、暗室内に局限しない）に於いて外界の光線に影響されず、光学アナライザー１が完全にフェースプレート２０の発する光線を掴み取り、それによって、フェースプレート２０の各種光学物理属性パラメータを測定するため、図３に示すように、レセプター１０には軟質シリコンラバーから作られた中空状のフード３が設けられ、かつフード３の一部は光学アナライザー１から離れる方向へ伸び出し、光学アナライザー１がフェースプレート２０の発する光線を受ける場合、フード３をフェースプレート２０に当て付け、フード３は外界の光線を阻隔し、光学アナライザー１はフェースプレート２０の発する光線だけを受けることができ、必要とする各種光学物理属性パラメータの測定に用いられる。
【０００５】
ところが、図４に示すように、フード３が前記フェースプレート２０に当て付けられた場合、フェースプレート２０のフード３の周縁に面するエリアはフード３の圧迫作用を受け、そのために、フェースプレート２０のフード３の周縁に面するエリアの液晶は四周へ移動し、フェースプレート２０のフード３に面するエリアが出力する顔色に変化が発生し、（以下、前記フェースプレート２０のフード３に面して出力した顔色に変化が発生するエリアを「変色エリア」と称する。）レセプター１０がフェースプレート２０に面するレシーブエリア１２は変色エリア１４をカバーし、レセプター１０の受けるフェースプレート２０が発する光線に変化が発生し、そのために、光学アナライザー１に測定される光線の各種物理属性パラメータは不正確になる。
【０００６】
言い換えれば、前述した状況下に於いて、光学アナライザー１が測定した顔色信号値（Ｘ、Ｙ、Ｚ）は不正確であり、そのために、カラー平面ディスプレー２がビデオ信号を表した場合、より精確な修正を行うことができず、理想的な顔色信号値（ＸＴ、ＹＴ、ＺＴ）を出力することができない。
上述をまとめると、非接触式測定方式は、変色エリアの干渉を受けない物理属性パラメータを測定することができるが、測定条件の制限が多いので、操作上の多くの不便になる。もし接触式測定方式を採用した場合、快速に前記光学アナライザー１を測定したい位置に設置することができるが、レシーブエリア１２は変色エリアの干渉を受けるので、如何にして光学アナライザー１に上述二種測定方式の長所があるが、上述二種測定方式の欠点がないようにし、光学アナライザー１が外界光線の影響を受けず、フェースプレート２０が発する光線を変更しない条件下に於いて、フェースプレートが発する光線の物理属性パラメータを測定することができるかは、早急に解決する問題である。
【考案の開示】
【考案が解決しようとする課題】
【０００７】
本考案の目的は、従来の光学アナライザーのレセプターがフェースプレートの発する光線の物理属性パラメータを測定するときの欠点を改善する一種の光遮蔽フードを提供することである。
【課題を解決するための手段】
【０００８】
本考案の光遮蔽フードは、中空状の本体を備え、本体の一端は光学アナライザーのレセプターの形状に合わせ、本体はレセプターの周囲に取り付けることができ、かつ本体の他端は逐次外へ拡張及び延伸し、本体の他端の外側表面と内側表面間は垂直方向に高度差が形成され、本体の他端の外側表面と内側表面間は水平方向に間隔が形成され、本体がフェースプレート上に当て付けられた場合、フェースプレートが本体に当て付けられて発生する第一変色エリアはレセプターのフェースプレートに面するレシーブエリア外にあり、すなわち、第一変色エリアとレシーブエリアは重ね合わず、したがって、レセプターはフェースプレートの変化が発生していない光線を受けることができ、更に、光学アナライザーは光線から各種物理属性パラメータを精確に測定することができる。
【考案を実施するための最良の形態】
【０００９】
本考案の実施例を図を参照して説明する。
（第１実施例）
本考案の第１実施例による光遮蔽フードは、図５に示すように、本体７が設けられ、本体７の内部は中空状に形成され、かつ本体７の一端は光学アナライザーのレセプター５０の形状に合わせられて、本体７はレセプター５０に取り付けることができ、また、本体７の他端は逐次本体７の中央から離れる方向へ外に拡張及び延伸し、そのために、本体７の他端の外側表面と内側表面間は垂直方向に高度差Δｈが形成され、本体７の他端の外側表面と内側表面間は水平方向に間隔ΔＳが形成されている。図６に示すように、本体７がフェースプレート６０上に当て付けられた場合、フェースプレート６０が本体７に当て付けられて発生する第一変色エリア６２はレセプター５０のフェースプレート６０に面するレシーブエリア６４の外にあり、すなわち、前記第一変色エリア６２と前記レシーブエリア６４は重ね合わず、したがって、前記レセプター５０は前記フェースプレート６０の変化が発生していない光線を受けることができ、更に、前記光学アナライザーは光線から各種物理属性パラメータを精確に測定することができる。
【００１０】
（第２実施例）
また、図７に示すように、本考案の第２実施例による光遮蔽フードは、本体７の他端の外側表面と内側表面の間に少なくとも一つの中間フード７０が設けられ、中間フード７０の一端は本体７に連接し、中間フード７０の他端は外へ延伸し、中間フード７０が延伸する長さは本体７の他端の外側表面と内側表面の間に介在し、かつ中間フード７０がフェースプレートに当て付けられて発生する第二変色エリア６６は同じくレシーブエリア６４の外にある（図８を参照）。
【００１１】
上述をまとめると、光遮蔽フードがフェースプレート６０上に当て付けられると、光遮蔽フード外部の光線は光遮蔽フードが包囲するエリア内に進入しなくなり、かつ光遮蔽フードがフェースプレート６０上に当て付けられると、フェースプレート６０に発生するそれら変色エリア６２、変色エリア６６はレシーブエリア６４内に進入しなくなり、中間フード７０は光遮蔽フードがフェースプレート６０に当て付ける安定度を増やし、レセプター５０とフェースプレート６０との間は最良の垂直状態を保持することができ、進んでより精確に各種物理属性パラメータを測定することができ、それによって、伝統的な光遮蔽フードが各種物理属性パラメータを精確に測定できない問題を改善することができる。
以上に述べたのは本考案の最適の具体的実施例だけであり、本考案の構造特徴はそれに限定されず、技術を熟知するものが本考案の領域内に於いて軽易に思い及べる変化または改修はすべて本考案の範囲内に含まれるものとする。
【図面の簡単な説明】
【００１２】
【図１】従来の非接触式測定方式の模式図である。
【図２】従来の接触式測定方式の模式図である。
【図３】従来の接触式測定方式のフードの断面図である。
【図４】従来の接触式測定方式の第一変色エリアとレシーブエリアが重ね合った状態を示す模式図である。
【図５】本考案の第１実施例による光遮蔽フードを示す断面図である。
【図６】本考案の第１施例による光遮蔽フードの第一変色エリアとレシーブエリアがフェースプレート上にある状態を示す模式図である。
【図７】本考案の第２実施例による光遮蔽フードを示す断面図である。
【図８】本考案の第２実施例による光遮蔽フードの第一変色エリア、第二変色エリア及びレシーブエリアがフェースプレート上にある状態を示す模式図である。
【符号の説明】
【００１３】
７：本体、５０：レセプター、６０：フェースプレート、６２：第一変色エリア、６４：レシーブエリア、６６：第二変色エリア、７０：中間フード
【図１】
0003137477.tif 000003
【図２】
0003137477.tif 000004
【図３】
0003137477.tif 000005
【図４】
0003137477.tif 000006
【図５】
0003137477.tif 000007
【図６】
0003137477.tif 000008
【図７】
0003137477.tif 000009
【図８】
0003137477.tif 000010